(57)【特許請求の範囲】
【請求項１】
２枚の不織布の間に弾性部材が挟まれて着用者の胴回りにフィットするフィット部と着用者の股間を覆い着用者からの体液を吸収する吸収部と、を備えた着用物品であって、
前記吸収部は、前記フィット部に接続される第１端部および第２端部を有し、
前記フィット部は着用者の腹側を覆う腹部と着用者の背側を覆う背部とを備え、
前記吸収部の第１端部が前記フィット部の腹部に接続され、前記吸収部の第２端部が前記フィット部の背部に接続され、
前記第１端部は前記フィット部の前記腹部に取外し可能に面接合され、
着用時において着用者の肌面に対面する面の反対の面である前記第１端部の外側表面の少なくとも一部と、前記第１端部の胴回り方向に延びる上縁と、前記フィット部の腹部における前記第１端部が面接合される外表面の少なくとも一部とを覆うカバーシートが設けられており、
物品の着用時において、前記フィット部から前記吸収部を剥すことにより前記吸収部の第１端部の外側表面を前記着用物品の外側に露出させることを目的として、前記カバーシートのうちの前記第１端部を覆う部分またはその近傍が破断可能に形成されており、
前記面接合された第１端部において、前記フィット部の腹部の前記外表面に前記吸収部の内表面が対面していると共に、前記吸収部の外表面に前記カバーシートの内表面が対面し、
前記第１端部に相当する位置において、前記フィット部、前記吸収部および前記カバーシートが、内側から順に積層されている着用物品。
【請求項２】
請求項１において、
前記カバーシートは前記第１端部の前記上縁の全てを覆うと共に、
前記カバーシートは前記第１端部における上下方向に延びる側縁の前記上縁の近傍を覆う着用物品。
【発明の詳細な説明】
【技術分野】
【０００１】  本発明は、使い捨てパンツやオムツなどの着用物品およびその製造方法に関するものである。
【背景技術】
【０００２】  下記の特許文献には、再装着可能な吸収性物品が開示されている。これらの特許文献には、接続部分を覆うカバーシートは開示されていない。
【特許文献１】特表２００３−５２０６２７号公報（要約書）
【特許文献２】特表２００３−５２６４０６号公報（要約書）
【特許文献３】特表２００３−５２７１５３号公報（要約書）
【特許文献４】特表２００３−５２９３９８号公報（要約書）
【特許文献５】特表２００３−５２９３９９号公報（要約書）
【特許文献６】特表２００３−５３０９０４号公報（要約書）
【特許文献７】特表２００３−５２７１５２号公報（要約書）
【特許文献８】特表２００３−５２８６４９号公報（要約書）
【特許文献９】特表２００３−５２８６５０号公報（要約書）
【特許文献１０】特表２００３−５２９４００号公報（要約書）
【発明の開示】
【０００３】  本発明の目的は、取外し可能な部分を覆うことで、不用意に吸収部がフィット部から解離するのを防止することである。
【０００４】  前記目的を達成するために、本発明のある着用物品は、着用者の胴回りにフィットするフィット部と、着用者の股間を覆い着用者からの体液を吸収する吸収部と、を備える。前記吸収部は、前記フィット部に接続される第１端部および第２端部を有する。前記吸収部の第１端部はフィット部から取外し可能である。前記第１端部の少なくとも一部を覆うカバーシートが設けられている。
【０００５】  このようにすれば、フィット部から取外し可能な第１端部に相当する部分をカバーシートで覆って保護することにより、前記第１端部が不用意に剥がれるおそれがない。
【０００６】  本発明においては、前記カバーシートの一部には、該カバーシートを破るための加工が施され、前記カバーシートのうちの加工が施された部分の近傍において、前記吸収部又は前記フィット部には、前記取外し可能な部材が配置されているのが好ましい。
カバーシートを破るための加工が施されていると、カバーシートを容易に破断することができる。
【０００７】  本発明のある態様においては、前記フィット部は着用者の腹側を覆う腹部と着用者の背側を覆う背部とを備え、前記吸収部の第１端部が前記フィット部の腹部に接続され、前記吸収部の第２端部が前記フィット部の背部に接続される。前記第１端部は、前記フィット部に取外し可能に面接合され、前記カバーシートのうちの前記第１端部を覆う部分またはその近傍が破断可能に形成されている。
【０００８】  このようにすれば、着用した後に、前記カバーシートの一部を破断して、前記第１端部を露出させ、吸収部をフィット部から剥がすことにより、吸収部の汚れの状態を確認できる。また、吸収部とフィット部との接続を解き、吸収部の一部を交換することができる。その後、必要に応じて、吸収部をフィット部に接続して、着用物品を再装着することもできる。
【０００９】  なお、前記カバーシートには該カバーシートを破断するために加工が施された破断部が形成され、該破断部に沿って前記カバーシートを破断すると、前記第１端部の少なくとも一部が露出するように構成されていてもよい。
【００１０】  また、前記面接合された第１端部において、前記フィット部の腹部の外表面に前記吸収部の内表面が対面していると共に、前記吸収部の外表面に前記カバーシートの内表面が対面し、前記第１端部に相当する位置において、前記フィット部、前記吸収体および前記カバーシートが、内側から順に積層されているのが更に好ましい。
【図面の簡単な説明】
【００１１】
【図１】図１（ａ）および図１（ｂ）は本発明の実施例１にかかる着用物品の概略斜視図であり、図１（ａ）はカバーシートを破断する状態を示し、図１（ｂ）は同破断後の状態を示す。
【図２】図２（ａ）は同実施例１の要部の概略断面図、図２（ｂ），図２（ｃ）および図２（ｄ）は破断部の例を示す平面図である。
【図３】図３（ａ）は実施例２にかかるオムツの要部を示すＩＩＩａ−ＩＩＩａ線における概略断面図、図３（ｂ）は同オムツを展開した平面図である。
【図４】実施例３にかかるオムツの要部を示す概略平面図である。
【図５】実施例１にかかる破断部および接合部材の配置例を示す平面図である。
【図６】図６（ａ）は変形例にかかる着用物品のカバーシートを破断する前の状態を示す概略斜視図、図６（ｂ）はカバーシートの破断した後の状態を示す概略斜視図である。
【図７】図２（ａ）の着用物品を製造するための設備を示す概略構成図である。
【図８】図３（ａ）の着用物品を製造するための設備を示す概略構成図である。
【図９】図９（ａ）は実施例４にかかる着用物品の概略斜視図、図９（ｂ）は同着用物品を展開した部分平面図である。
【図１０】図１０（ａ）および図１０（ｂ）は、図２（ａ）の着用物品の製造工程を示す概略平面図である。
【符号の説明】
【００１２】  １：フィット部
１Ｆ：腹部
１Ｂ：背部
２：吸収部
２３：第１端部
２４：第２端部
３：接合部材
４：カバーシート
４１：破断部
【発明を実施するための最良の形態】
【００１３】  本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【実施例１】
【００１４】  以下、本発明の実施例を図面にしたがって説明する。
図１に示すように、本実施例の着用物品は、着用者の胴回りを締めるフィット部１と、着用者からの体液を吸収する吸収部２とを備えている。【００１５】  図２（ａ）に示すように、フィット部１は、少なくとも２枚の不織布１０，１１の間に弾性部材１２が挟まれている。弾性部材１２としては、糸ゴム、平ゴム、スクリーム、弾性体ホットメルト、フィルム、ウレタンフォーム等を用いてもよい。フィット部１は、着用者の腹側を覆う腹部１Ｆと着用者の背側を覆う背部１Ｂとを備える。
例えば、図１（ａ）に示すように弾性部材１２が挟まれた、腹部１Ｆ及び背部１Ｂをそれぞれ生成し、前記腹部１Ｆ及び背部１Ｂの端部１ｅ，１ｅ同士を溶着することにより、リング状のフィット部１が生成されてもよい。また、図６（ａ），（ｂ）の実施例ではフィット部１が無端状で、かつ、リング状に図示されているが、フィット部１はリング状に形成する必要はなく、更に無端状に形成されている必要はない。【００１６】  弾性部材１２は、フィット部１の少なくとも一部の領域に設けられていればよい。たとえば、フィット部１のうちの吸収部２が重なっている部分には、弾性部材１２を設けないようにしてもよい。このような構造は、厚手の吸収部２をゴワツキにくくするので、着用感を向上させる。【００１７】  吸収部２は、トップシート２０、コア２１およびバックシート２２を有している。吸収部２は、さらにトップシート２０とコア２１との間にセカンドシートを有していてもよい。トップシート２０は、着用者の体液、例えば尿や血液を透過することができる。なお、トップシート２０又はセカンドシートは、体液が逆流することを防止する機能を有していてもよい。つまり、体液は、トップシート２０からコア２１に進むが、逆には殆ど流れない。【００１８】  コア２１は、体液を吸収して保持することができる。かかるコア２１としては、たとえば、パルプを解繊機（粉砕機）で繊維状に解繊（粉砕）したフラッフパルプや、該フラッフパルプに高吸水性ポリマー粒子（高分子吸収体）を混入したものを綿状に堆積させたものなどを採用してもよい。コア２１は吸収性を有する。また、コア２１として、又は、コア２１の一部を構成する材料として、エアレイドが用いられてもよい。
バックシート２２は液を透過しない。バックシート２２としては、ポリエチレンシート等が使用される。【００１９】  図１（ａ）の吸収部２の第１端部（一端）２３は、取外し可能な接合部材３を介して、フィット部１の腹部１Ｆの第１部１３に取外し可能に接続され、吸収部２の第２端部（他端）２４はフィット部１の背部１Ｂの第２部１４に接続されている。【００２０】  取外し可能な接合部材３としては、面ファスナや粘着テープ等を用いてもよい。接合部材３は、フィット部１の第１部１３又は吸収部２の第１端部２３に取り付けられている。たとえば、雄面ファスナまたは雌面ファスナがフィット部１に固着されてもよいし、雌面ファスナまたは雄面ファスナが吸収部２に固着されてもよい。
このように、吸収部２およびフィット部１が面接合されていることで、吸収部２の第１端部２３をフィット部１から取り外すことができる。【００２１】  なお、第１端部２３がフィット部１の背部１Ｂの第２部１４に接続されてもよいし、第２端部２４がフィット部１の腹部１Ｆの第１部１３に接続されてもよい。【００２２】  図１（ａ）に示すように、カバーシート４は、少なくとも前記フィット部１と吸収部２とが重なった部分、つまり接合部５を覆っている。図１に示す例では、カバーシート４がフィット部１の外表面の概ね全面を覆っている。このため、フィット部１上に配置された吸収部２の第１端部２３もカバーシート４により覆われている。つまり、カバーシート４はフィット部１上の吸収部２の第１端部２３の上縁２ｅを覆っている。また、カバーシート４はフィット部または吸収部に取り付けられた接合部材３を覆っている。
このように、接合部５がカバーシート４に覆われていることにより、着用時に接合部５において吸収部２がフィット部１から不用意に外れたりするのを防止し得る。【００２３】  図２（ａ）において、吸収部２はフィット部１の内側に取り付けてもよいが、フィット部１の外側に重ね合わせて取り付けることにより、フィット部１から容易に取り外すことができる。つまり、第１端部２３において、フィット部１の腹部１Ｆの外表面に接合部材３を介して吸収部２の内表面が対面するのが好ましい。この場合、第１端部２３において、吸収部２の外表面にカバーシート４の内表面が対面するのが更に好ましい。このようにすることで、第１端部２３に相当する位置において、フィット部１、吸収部２およびカバーシート４が内側から順に積層される。すなわち、吸収部２の第１端部２３がフィット部１およびカバーシート４により挟み込まれる。【００２４】  図１（ａ），図１（ｂ）に示すように、カバーシート４には、破断部４１が設けられている。すなわち、該カバーシート４のうちの前記第１端部２３を覆う部分および／またはその近傍の部分には、カバーシート４を破るための加工が施されている。破断部４１は、例えば、ハーフカットやミシン目により、形成される。前記破断部４１に沿ってカバーシート４を破断することにより、図１（ｂ）に示すように、接合部５の吸収部２、つまり吸収部２の第１端部２３が露出する。これにより、容易にフィット部１と吸収部２の接続を解くことができる。また、容易にフィット部１と吸収部２を再接続することもできる。破断部４１は、図２（ｂ）のようにＴ字型に形成されてもよいし、図２（ｃ）のようにＩ字型に形成されてもよいし、あるいは、図２（ｄ）のように縦二本線に形成されてもよい。【００２５】  図１（ｂ）に示すように、カバーシート４の裏面には、接合部材７が設けられている。これにより、カバーシート４の破断後に、接合部材７により、カバーシート４をフィット部１に接合することが可能となる。破断部４１および接合部材７の配置は図５（ａ）〜図５（ｆ）に示す配置であってもよい。
【実施例２】
【００２６】  図３（ａ），（ｂ）は実施例２を示す。
本実施例２の着用物品は、フィット部１、吸収部２、接合部材３及び押えシート６を備た使い捨てオムツである。本実施例２では、カバーシート４が不織布１０との間で弾性部材１２を挟んでいる。押えシート６は着用者の身体の表面に接触する側に配置されて、吸収部２の一部および不織布１０の一部もしくは全部を覆っている。【００２７】  本実施例２では、フィット部１が破断部４１を有している。すなわち、フィット部１のカバーシート４、不織布１０および弾性部材１２に破断部４１が形成されている。破断部４１では、弾性部材１２が切断状態又は切断可能な状態にされている。【００２８】  このような状態にするために、フィット部１にエンボス加工が施される。エンボス加工は、複数の凸部を有するエンボスロールとアンビルロールとでフィット部１を挟み込んだ状態で、熱、圧力、又はその両方をフィット部１の弾性部材１２に加えることにより施される。なお、レーザ光線等を照射することにより、弾性部材１２が切断状態又は切断可能な状態にされてもよい。【００２９】  なお、弾性部材１２を前記破断部４１の位置に設けないようにして、破断部４１の破断を可能としてもよい。【００３０】  吸収部２の内側および／または外側には、接合部材３が配置されていてもよい。すなわち、接合部材３による接合は、吸収部２の内側、吸収部２の外側、又は吸収部２の内外の両側で行われてもよい。特に、フィット部１と吸収部２とを接合部材３により接合すれば、フィット部１に対して吸収部２がズレにくいので、着用物品を着用者に安定した状態で着用させることができる。吸収部２の外側に接合部材３を配置する代わりに、フィット部１の内側に接合部材３が配置されてもよい。【００３１】  押えシート６と吸収部２とを接合することにより、着用物品を着用者に着用させることができる場合には、必ずしも、接合部材３によるフィット部１と吸収部２との接合は必要ではない。
【実施例３】
【００３２】  図４は実施例３の要部を示す。
吸収部２は、カフ２５を有していてもよい。この場合、図４に示すように、押えシート６の中央部付近が所定の形状だけ切断されて、切欠部５０が形成されていてもよい。押えシート６の中央部付近が切断されているため、フィット部１上の吸収部２の一部が押えシート６により覆われない。このため、吸収体全面が着用者に直接接することができ、吸収体の吸収能力を十分引き出すことができる。また、フィット部１付近の吸収部２であっても、カフ２５が防漏効果を発揮する。【００３３】  フィット部１と吸収部２とが重なる幅Ｗ１は、フィット部１の幅Ｗの約１／５〜約４／５であるのが好ましい。フィット部１と吸収部２の重なる幅Ｗ１が、フィット部１の幅Ｗの１／２を越える場合であっても、押えシート６の中央部付近が切断されていると、吸収体全面が着用者に直接接することができ、吸収体の吸収能力を十分引き出すことができる。また、吸収部２のカフ２５の防漏効果が損なわれない。
【実施例４】
【００３４】  図９（ａ）、図９（ｂ）は実施例４を示す。
本実施例では、破断部４１を有するカバーシート４は、腹部１Ｆ側にのみ設けられ、背部１Ｂ側には設けられていない。また、カバーシート４は、前記フィット部１と吸収部２とが接合部５の全部を覆わず、その一部のみを覆っている。つまり、カバーシート４は、吸収部２の第１端部２３の一部およびその近傍のみを覆うように設けられている。このよちにカバーシート４を小さく形成すれば、必要な材料を削減することができ、コストダウンが可能である。カバーシート４は第１端部２３の上縁２ｅおよびその近傍のみを覆う大きさに形成してもよい。【００３５】  かかるカバーシート４の縁はフィット部１に溶着されているが、破断部４１を破断する際に着用者がカバーシート４をフィット部１から引き剥がすことができるように溶着されていてもよい。こうすれば、着用者はカバーシート４を引き剥がして廃棄することができる。この場合、破断部４１を設けないようにすることもできる。つまり、着用者はカバーシート４を破断せずに引き剥がす。
なお、カバーシート４は、前記のように小さく形成されてもよいが、フィット部１の下縁または上縁からはみ出るような大きさに形成されてもよい。【００３６】製造方法：
つぎに、着用物品の製造方法が説明される。
図７は、図２（ａ）の着用物品の製造設備を示す。【００３７】  まず、吸収部２の製造方法が説明される。
図７に示すように、不織布１００はスリッタ６０で２枚に分割される。分割された各不織布１００ごとに糸ゴム１０１が配置された後、各不織布１００は立体折り返し部（セーラー）６１において折り返されて、カフ２５が形成される。前記カフ２５はトップシート２０上に配置され、その後、該トップシート２０はドラム６２に向って搬送される。【００３８】  一方、ロールパルプ１０２を粉砕機６３で粉砕して解繊することでフラッフが生成される。該フラッフをパターンドラム６４上に積層して積層体が形成される。前記積層体は前記ドラム６２上においてトップシート２０上に配置される。該積層体は、さらに、レッグギャザ用の糸ゴム１０３を有するバックシート２２とトップシート２０との間で挟まれる。その後、小さく切断された接合部材３がロール６５上で前記トップシート２０上に接着されて、連続体１０４が形成される。【００３９】  前記連続体１０４はカッタ６６において所定の大きさに切断されて、多数の吸収部２が生成される。この吸収部２はリピッチターンドラム６７に供給される。【００４０】  つぎに、カバーシート４の製造方法が説明される。
原反シート（樹脂フィルム）１０５は、スリッタ７１で２枚のシート１０５Ｆ，１０５Ｂに分割される。この２枚のシート１０５Ｆ，１０５Ｂのうち、腹部１Ｆを覆う部位となるシートとなるシート１０５Ｆにはダイカッタ７２により破断部４１が形成される。更に、小さく切断された接合部材７が前記シート１０５Ｆ上にロール７３上で接着される。【００４１】  その後、前記シート１０５Ｆ，１０５Ｂは、互いに平行な状態で、前記リピッチターンドラム６７に向って搬送される。このドラム６７上において、一対のシート１０５Ｆ，１０５Ｂに跨がるように、前記吸収部２が配置されて複合体１０６が生成される（図１０（ａ））。吸収部２のうちの前記第１端部２３となる端部１２３は、シート１０５Ｆの破断部４１およびその近傍の部分により覆われる。【００４２】  つぎに、フィット部の製造方法が説明される。
２枚の不織布１０，１１の間に弾性部材１２が挟まれて積層体（ウエブ）１１０が生成される。前記積層体１１０はスリッタ８０で２つの積層体１１０Ｆ，１１０Ｂに分割される。腹部１Ｆとなる積層体１１０Ｆには、小さく切断された接合部材３が接着される。一方、背部１Ｂとなる積層体１１０Ｂには塗布機８１から接着剤が塗布される。前記両積層体１１０Ｆ，１１０Ｂは、互いに平行な状態でリピッチターンドラム６７の下流のローラ９１に向って搬送される。【００４３】  つぎに、前記各部材から製品が生成される工程が説明される。
前記複合体１０６はローラ９１に向って搬送され、前記積層体１１０Ｆ，１１０Ｂが、各々、前記シート１０５Ｆ，１０５Ｂ上に配置される（図１０（ｂ））。前記積層体１１０Ｆ，１１０Ｂは、前記シート１０５Ｆ，１０５Ｂの吸収部２が配置された側に重ねられる。ここで、前記積層体１１０Ｆ，１１０Ｂは吸収部２が両積層体１１０Ｆ，１１０Ｂの間に跨がるように配置される。この際、吸収部２のうち第１端部２３となる端部１２３が積層体１１０Ｆに重なる。このようにすることで、前記積層体１１０Ｆとシート１０５Ｆとの間に吸収部２の端部１２３が挟み込まれる。【００４４】  その後、シート１０５Ｆ，１０５Ｂの一部がウエスト折り返し部（セーラ）９２において折り返される。着用物品となるシート状物１１１は二つ折り装置９３で２つに折り畳まれた後、個々の着用物品の端部となる部位がヒートシール９４において溶着される。その後、前記シート状物１１１は、製品カッタ９５において、個々の製品に切断される。こうして、図２（ａ）の着用物品が製造される。【００４５】  つぎに、別の着用物品の製造方法が説明される。
図８は、図３（ａ）の着用物品の製造設備を示す。【００４６】  図８に示すように、カバーシート４は、弾性部材１２を介挿した状態で、不織布１０と積層される。こうして、積層体１２０が生成される。前記積層体１２０は、スリッタ７１Ａにおいて、２つの積層体１２０Ｆ，１２０Ｂに分割される。前記積層体１２０Ｆ，１２０Ｂのうち腹部１Ｆとなる積層体１２０Ｆには、加熱手段７２Ａにおいて、所定の形状の破断部４１が形成される。その後、小さく切断された接合部材３が前記積層体１２０Ｆに接着される。一方、前記積層体１２０Ｆ，１２０Ｂのうち、背部１Ｂとなる積層体１２０Ｂには塗布機から接着剤が塗布される。【００４７】  前記各積層体１２０Ｆ，１２０Ｂには、吸収部２がリピッチターンドラム６７上において配置される。こうして、複合体１０６Ａが生成されて、ローラ９１に向って搬送される。【００４８】  一方、押えシート６は、スリッタ８０Ａにおいて２枚の押えシート６Ｆ，６Ｂに分割される。その後、小さく切断された接合部材３が、前記押えシート６のうち腹部１Ｆとなる押えシート６Ｆ上に接合される。前記２枚の押えシート６Ｆ，６Ｂは、前記ローラ９１に向って搬送される。【００４９】  前記ローラ９１上において、前記一対の押えシート６Ｆ，６Ｂが、各々、前記複合体１０６Ａの一対の積層体１２０Ｆ，１２０Ｂに積層される。【００５０】  なお、その他の方法は、前記図７の例と同様であり、同一部分または相当部分に同一符号を付して、その詳しい説明を省略する。【００５１】  以上のとおり、図面を参照しながら好適な実施形態を説明したが、当業者であれば、本明細書を見て、自明な範囲で種々の変更および修正を容易に想定するであろう。
たとえば、吸収部の両端をフィット部に対し取外し自在に接合し、該両方または一方の接合部をカバーシートで覆ってもよい。
また、カバーシートは接合部のみに設けられていてもよいし、腹部または背部の一方にのみ設けられて、接合部を覆っていてもよい。
また、例えば特表２００３−５２０６２７号（要約）のように、着用物品を展開した状態で、フィット部の腹部または背部を構成する部材が、吸収体の略全部を覆ってもよい。さらに、腹部を構成する部材が背部まで延びるように形成されてもよいし、背部を構成する部材が腹部まで延びるように形成されてもよい。
したがって、そのような変更および修正は、請求の範囲から定まる本発明の範囲内のものと解釈される。
【産業上の利用可能性】
【００５２】  本発明は使い捨てオムツやパンツに適用し得る。
【図１】
0004648198.tif 000002
【図２】
0004648198.tif 000003
【図３】
0004648198.tif 000004
【図４】
0004648198.tif 000005
【図５】
0004648198.tif 000006
【図６】
0004648198.tif 000007
【図７】
0004648198.tif 000008
【図８】
0004648198.tif 000009
【図９】
0004648198.tif 000010
【図１０】
0004648198.tif 000011